(57)【要約】  放送システムでRSSコンテンツを提供するシステム及び方法である。一実施例によれば、放送システムでRSSコンテンツを提供する方法は、放送局（102）で、RSSコンテンツを格納する少なくとも１つの遠隔ソース（110）からRSSコンテンツを定期的に取り出す動作と、取り出されたRSSコンテンツを解析し、変換されたRSSコンテンツを生成する動作と、変換されたRSSコンテンツをフォーマットする動作と、放送局（102）から複数の受信機（106）にフォーマットされたRSSコンテンツを送信する動作とを有する。他の実施例によれば、“ユーザ起動の取り出し”方法は、ユーザ起動の要求に応じてのみ、RSSコンテンツを格納する少なくとも１つの遠隔ソース（110）からRSSコンテンツを取り出す。
2008532378.tif 000002
【特許請求の範囲】
【請求項１】
放送システムでRSSコンテンツを提供する方法であって：
(a)放送局で、RSSコンテンツを格納する少なくとも１つの遠隔ソースから前記RSSコンテンツを取り出す動作と；
(b)前記取り出されたRSSコンテンツを解析し、変換されたRSSコンテンツを生成する動作と；
(c)前記変換されたRSSコンテンツをフォーマットする動作と；
(d)前記放送局から複数の受信機に前記フォーマットされたRSSコンテンツを送信する動作と；
を有する方法。
【請求項２】
前記取り出す動作(a)は、定期的に実行される、請求項１に記載の方法。
【請求項３】
前記複数の受信機のそれぞれで前記フォーマットされたRSSコンテンツを表示する動作を更に有する、請求項１に記載の方法。
【請求項４】
放送アプリケーションを前記複数の受信機に送信する動作と；
前記放送アプリケーションを実行し、前記送信されたRSSコンテンツを表示する動作と；
を更に有する、請求項１に記載の方法。
【請求項５】
前記変換されたRSSコンテンツをフォーマットする動作は、前記RSSコンテンツにレイアウト情報を追加することを有する、請求項１に記載の方法。
【請求項６】
前記レイアウト情報は、位置情報及び／又は色情報及び／又はグラフィック情報を少なくとも有する、請求項５に記載の方法。
【請求項７】
前記RSSコンテンツは、RSS（Resource  Description  Framework  Site  Summary）フォーマットである、請求項１に記載の方法。
【請求項８】
動作(c)の前に、
２つの連続的な定期期間で取り出された前記RSSコンテンツを比較し、前記RSSコンテンツが各期間で同一であるか否かを決定する動作と；
前記決定が正しい場合に、前記変換されたRSSコンテンツをフォーマットする動作を省略する動作と；
を更に有する、請求項１に記載の方法。
【請求項９】
前記RSSコンテンツを定期的に取り出す動作は、各取り出し期間に、前記RSSコンテンツを格納する前記少なくとも１つの遠隔ソースのURLアドレスの予め格納されたリストを、データリポジトリから取り出すことを更に有する、請求項１に記載の方法。
【請求項１０】
放送システムでRSSコンテンツを提供する方法であって：
(a)放送局で、RSSコンテンツを格納する少なくとも１つの遠隔ソースから前記RSSコンテンツを定期的に取り出す動作と；
(b)前記RSSコンテンツを解析し、変換されたRSSコンテンツを生成する動作と；
(c)前記変換されたRSSコンテンツを複数の受信機に送信する動作と；
(d)放送アプリケーションを前記複数の受信機に送信する動作と；
を有する方法。
【請求項１１】
前記送信された放送アプリケーションを実行する動作を更に有する、請求項１０に記載の方法。
【請求項１２】
前記送信された放送アプリケーションを実行する動作は：
前記変換されたRSSコンテンツをフォーマットし、フォーマットされたRSSコンテンツを生成する動作と；
前記フォーマットされたRSSコンテンツを表示する動作と；
を更に有する、請求項１１に記載の方法。
【請求項１３】
放送システムでRSSコンテンツを提供する方法であって：
(a)放送局で、少なくとも１つの遠隔ソースからRSSコンテンツを定期的に取り出す動作と；
(b)前記RSSコンテンツを複数の受信機に送信する動作と；
(c)放送アプリケーションを前記複数の受信機に送信する動作と；
を有する方法。
【請求項１４】
前記送信された放送アプリケーションを実行する動作を更に有する、請求項１３に記載の方法。
【請求項１５】
前記送信された放送アプリケーションを実行する動作は：
前記送信されたRSSコンテンツを解析し、変換されたRSSコンテンツを生成する動作と；
前記変換されたRSSコンテンツをフォーマットし、フォーマットされたRSSコンテンツを生成する動作と；
前記フォーマットされたRSSコンテンツを表示する動作と；
を更に有する、請求項１３に記載の方法。
【請求項１６】
フォーマットする動作(e)は、レイアウト情報を追加することを更に有する、請求項１７に記載の方法。
【請求項１７】
前記レイアウト情報は、位置情報及び／又は色情報及び／又はグラフィック情報を有する、請求項１６に記載の方法。
【請求項１８】
放送システムでRSSコンテンツを提供する方法であって：
(a)複数の受信機のうち１つからRSSコンテンツの要求を放送局で受信する動作と；
(b)前記受信機の要求に応じて、少なくとも１つの遠隔ソースから前記要求されたRSSコンテンツを取り出す動作と；
(c)前記取り出されたRSSコンテンツを解析し、変換されたRSSコンテンツを生成する動作と；
(d)前記変換されたRSSコンテンツをフォーマットする動作と；
(e)前記放送局から前記要求側の受信機に前記変換されたRSSコンテンツを送信する動作と；
を有する方法。
【請求項１９】
放送局から前記複数の受信機に放送アプリケーションを送信する動作と；
前記複数の受信機のうち１つで前記送信された放送アプリケーションを実行し、前記フォーマットされたRSSコンテンツを表示する動作と；
を更に有する、請求項１８に記載の方法。
【請求項２０】
放送システムでRSSコンテンツを提供する方法であって：
(a)前記複数の受信機のうち１つからRSSコンテンツの要求を放送局で受信する動作と；
(b)前記受信機の要求に応じて、少なくとも１つの遠隔ソースから前記要求されたRSSコンテンツを取り出す動作と；
(c)前記取り出されたRSSコンテンツを解析し、変換されたRSSコンテンツを生成する動作と；
(d)前記放送局から前記要求側の受信機にフォーマットされたRSSコンテンツを送信する動作と；
を有する方法。
【請求項２１】
放送局から複数の受信機に放送アプリケーションを送信する動作と；
前記放送アプリケーションを実行し、前記送信されたRSSコンテンツを表示する動作と；
を更に有する、請求項２０に記載の方法。
【請求項２２】
前記送信された放送アプリケーションを実行する動作は：
前記変換されたRSSコンテンツをフォーマットし、フォーマットされたRSSコンテンツを生成する動作と；
前記フォーマットされたRSSコンテンツを表示する動作と；
を更に有する、請求項２０に記載の方法。
【請求項２３】
放送システムでRSSコンテンツを提供する方法であって：
(a)複数の受信機のうち１つからRSSコンテンツの要求を放送局で受信する動作と；
(b)前記受信機の要求に応じて、少なくとも１つの遠隔ソースから前記要求されたRSSコンテンツを取り出す動作と；
(c)前記放送局から前記要求側の受信機にフォーマットされたRSSコンテンツを送信する動作と；
を有する方法。
【請求項２４】
放送局から複数の受信機に放送アプリケーションを送信する動作と；
前記複数の受信機のうち１つで前記放送アプリケーションを実行する動作と；
を更に有する、請求項２３に記載の方法。
【請求項２５】
前記送信された放送アプリケーションを実行する動作は：
前記送信されたRSSコンテンツを解析し、変換されたRSSコンテンツを生成する動作と；
前記変換されたRSSコンテンツをフォーマットし、フォーマットされたRSSコンテンツを生成する動作と；
前記フォーマットされたRSSコンテンツを表示する動作と；
を更に有する、請求項２４に記載の方法。
【請求項２６】
放送システムでRSSコンテンツを提供するシステムであって：
放送局の動作を制御するように構成されたコントローラと；
RSSコンテンツを定期的に取り出し、前記RSSコンテンツを解析し、変換されたRSSコンテンツを生成するように構成されたRSS取り出し器と；
前記変換されたRSSコンテンツをフォーマットし、フォーマットされたRSSコンテンツを生成するように構成されたフォーマット器と；
を有する放送局を有し、
MHPアプリケーションを実行するように構成されたMHP装置と；
前記MHPアプリケーションの出力をエンドユーザに表示するように構成されたディスプレイと；
をそれぞれ有する複数の受信機を有するシステム。
【請求項２７】
前記RSSコンテンツを格納する少なくとも１つの遠隔ソースを更に有する、請求項２６に記載のシステム。
【請求項２８】
前記RSSコンテンツの遠隔ソースに対応するURLリストを格納するように構成されたデータリポジトリを更に有する、請求項２６に記載のシステム。
【請求項２９】
前記変換されたフォーマットの前記データへのRSSコンテンツを前記受信機に送信する送信機を更に有する、請求項２６に記載のシステム。
【請求項３０】
インタラクティブテレビシステムにおいてRSS機能でインタラクティブテレビアプリケーションを拡張するシステムであって：
(a)RSSコンテンツのクライアント要求を受信し、前記要求されたRSSコンテンツを取り出すように構成された要求ハンドラを有する放送局を有し、
(b)エンドユーザにより起動されたRSSコンテンツの取り出し要求を構成し、返信を処理するように構成された要求器と、前記エンドユーザに関心のあるRSSコンテンツを格納する特定のRSSサーバのURLアドレスを入力し、RSSコンテンツをクライアントに提示することを可能にするように構成された提供器とを有する受信機を有するシステム。
【請求項３１】
前記変換されたRSSコンテンツを前記受信機に送信する送信機を更に有する、請求項３１に記載のシステム。
【発明の詳細な説明】
【技術分野】
【０００１】
本発明は、概して通信システムに関し、特にRSSコンテンツを放送局加入者に利用可能にするシステム及び方法に関する。
【背景技術】
【０００２】
RDFサイトサマリー（RDF  Site  Summary）としても知られるRSS（Rich  Site  summary）は、見出しを組織化するための簡単で確立したXML（Extensible  Markup  Language）フォーマットである。これは、サイト所有者又は他のコンテンツ作成者が情報をウェブユーザに利用可能にするコンテンツフォーマットである。例えば、RSSにより、１つのウェブサイトが他のサイトから素材を取得又は表示することが可能になる。或いは、アグリゲータと呼ばれるアプリケーションが何の情報が取り出すのに利用可能であるかをウェブユーザに示すことが可能になる。周知のように、RSSフォーマットは、見出しを組織化するための簡単で確立したXML（Extensible  Markup  Language）フォーマットである。現在では、RSSにより、サイト所有者又は他のコンテンツ作成者がRSSコンテンツをウェブユーザにのみ利用可能にすることが可能になる。
【発明の開示】
【発明が解決しようとする課題】
【０００３】
ウェブユーザを超えた加入者へのRSSコンテンツの限られた可用性を考えると、世界中のテレビ放送システムの何百万もの加入者に対してRSSコンテンツを広く利用可能にすることが望ましい。RSSコンテンツは、独自仕様の放送システムと非独自仕様の放送システム（独自仕様のOpenTVシステム又は非独自仕様のMHPシステム（MHPシステム（DVB（Digital  Video  Broadcasting  Project）により発行されたMultimedia  Home  Platform）及び非独自仕様のOCAPシステム（OpenCable  Application  Platform）等）との双方に組み込まれ得る。RSSコンテンツは、周知のテレテキストアプリケーションのようなスタンドアローン型アプリケーションとして又は放送アプリケーションのデータ構成要素として広い加入者群に利用可能になり得る。
【課題を解決するための手段】
【０００４】
放送システムでRSSコンテンツを提供するシステム及び方法が記載される。より具体的には、本発明は、RSSコンテンツの可用性をTV放送システム（例えば、MHP及びOCAP）の加入者に広げる。
【０００５】
本発明の一態様によれば、放送システムでRSSコンテンツを提供する方法は、放送局で、RSSコンテンツを格納する少なくとも１つの遠隔ソースからRSSコンテンツを定期的に取り出す動作と、取り出されたRSSコンテンツを解析し、変換されたRSSコンテンツを生成する動作と、変換されたRSSコンテンツをフォーマットする動作と、放送局から複数の受信機にフォーマットされたRSSコンテンツを送信する動作とを有する。
【０００６】
本発明の他の態様によれば、放送システムでRSSコンテンツを提供する方法は、放送局から複数の受信機に放送アプリケーションを送信する動作と、放送局で複数の受信機のうち１つからRSSコンテンツの要求を受信する動作と、受信機の要求に応じて、少なくとも１つの遠隔ソースから要求されたRSSコンテンツを取り出す動作と、放送局から要求側の受信機に取り出されたRSSコンテンツを送信する動作と、要求側の受信機で取り出されたRSSコンテンツを解析し、変換されたRSSコンテンツを生成する動作と、要求側の受信機で変換されたRSSコンテンツをフォーマットし、フォーマットされたRSSコンテンツを生成する動作と、この放送アプリケーションを実行し、送信されたRSSコンテンツを表示する動作とを有する。
【０００７】
ここに記載の様々な実施例において、RSSコンテンツを解析してフォーマットする動作は、完全に放送局側で実行されてもよく、受信機側で実行されてもよく、部分的に放送側で実行されて部分的に受信機側で実行されてもよい。
【０００８】
本発明の他の態様によれば、放送システムでRSSコンテンツを提供するシステムは、放送局の動作を制御するように構成されたコントローラと、RSS情報を定期的に取り出し、RSSコンテンツを解析し、変換されたRSSコンテンツを生成するように構成されたRSS取り出し器と、変換されたRSSコンテンツをフォーマットし、フォーマット後の変換されたRSSコンテンツを生成するように構成されたフォーマット器とを有する放送局を有し、MHPアプリケーションを実行するように構成されたMHP装置と、MHPアプリケーションの出力を少なくとも１人のエンドユーザに表示するように構成されたディスプレイとをそれぞれ有する複数の受信機を有する。
【０００９】
本発明の更に他の態様によれば、放送システムでRSSコンテンツを提供するシステムは、放送局の動作を制御するように構成されたコントローラと、放送局の動作を制御するように構成されたコントローラと、RSS情報を定期的に取り出し、RSSコンテンツを解析し、変換されたRSSコンテンツを生成するように構成されたRSS取り出し器と、変換されたRSSコンテンツをフォーマットし、フォーマット後の変換されたRSSコンテンツを生成するように構成されたフォーマット器とを有する放送局を有し、MHPアプリケーションを実行するように構成されたMHP装置と、MHPアプリケーションの出力をエンドユーザに表示するように構成されたディスプレイとをそれぞれ有する複数の受信機を有する。
【発明を実施するための最良の形態】
【００１０】
本発明の前記の特徴は、添付図面と共に検討される本発明の例示的な実施例の以下の詳細な説明を参照することにより、容易に明らかになり理解され得る。
【００１１】
以下の詳細な説明は、例示目的で多数の詳細を有するが、以下の説明に対する多数の変更及び代替が本発明の範囲内にあることを、当業者は認識する。従って、本発明の以下の好ましい実施例は、本発明に対する一般性を失うことなく、本発明に限定を課すことなく示される。
【００１２】
図１のブロック図は、本発明の様々な実施例のアーキテクチャ、機能及び動作を示している。各ブロックは、指定の論理関数を実施する１つ以上の実行可能命令を有するモジュール、セグメント又はコード部分を全体的に又は部分的に表してもよい。各ブロックは、指定の論理関数を実施する回路又は複数の相互接続回路を表してもよい。
【００１３】
本発明の実施例により、放送システムの加入者がRSSコンテンツを受信することが可能になる。
【００１４】
図１を参照すると、本発明の要素を有する放送システム100が図示されている。放送システム100は、ここで“中央型定期RSS取り出し”と呼ばれる本発明のシステムの実施例を示している。“中央型定期RSS取り出し”方法に従って、RSSコンテンツはRSSコンテンツを格納する複数の遠隔サーバから中央放送局102で定期的に集められ、放送サービスに加入する複数の受信機106に分配される。
【００１５】
図１の実施例は、MHP放送プロトコルに従って動作する。しかし、ここに記載の実施例は特定の放送プロトコル（図１のMHP放送プロトコル等）に限定されず、以下に記載するように、例えばOCAP、Open-TV及びMS-TVを含む多数の放送プロトコルに広く適用可能であることがわかる。
【００１６】
放送システム100は、中央放送局102と、複数の受信機106（２つの受信機が図示されている）に中央放送局102を接続する第１のネットワーク109と、複数の遠隔RSSサーバ110に中央放送局102を接続する第２のネットワーク104とを有する。
【００１７】
中央放送局102は、中央放送局102の動作を制御するように構成されたコントローラ120と、複数の遠隔RSSサーバ110からRSSコンテンツを定期的に取り出すように構成されたRSS取り出し器122とを有する。RSS取り出し器122は、遠隔RSSサーバ110から取り出されたRSSコンテンツを解析し、変換されたRSSコンテンツを生成するように更に構成される。RSSコンテンツは、RSS取り出し器122により放送システムのソフトウェアに互換性のあるフォーマットに変換される。中央放送局は、遠隔RSSサーバ110のネットワークアドレスに対応するURLのリストを格納するデータリポジトリ128と、RSS取り出し器122から変換されたRSSコンテンツを受信し、位置情報及び／又は色情報及び／又はグラフィック情報を有するレイアウト情報を変換されたコンテンツに追加するように構成されたフォーマット器124と、フォーマット器124からフォーマットされたRSSコンテンツ出力を第１の入力として受信し、フォーマットされたRSSコンテンツを表示するように動作可能なMHPアプリケーション132を第２の入力として受信するMHP生成器130とを更に有する。
【００１８】
ネットワーク104及び109は、ケーブル、地上波若しくは無線ネットワーク又はこれらの組み合わせを有してもよい。
【００１９】
遠隔RSSサーバ110は、概してRSSコンテンツ（すなわち“フィード”）を格納し、中央放送局102のRSS取り出しモジュール122からの要求に応じてインタフェース及びサービスを提示することができる何らかのサーバを表す。“遠隔”という修飾語は、読者が特定の構成要素と放送システム100の他の構成要素とを区別するのに役立つことのみを意図する。
【００２０】
中央放送局は、１つより多くのRSS取り出し器122と、１つより多くのデータベース128と、１つより多くのMHPアプリケーション132とを有してもよい点に留意すべきである。
【００２１】
受信機106は、ディスプレイ108とMHP装置107とを有する。MHP装置107は、ディスプレイ108でエンドユーザに表示するMHPアプリケーションを処理するように構成される。受信機106は、セットトップボックス、パーソナルコンピュータ、インタラクティブテレビ、又はテレビ信号及び他の情報（制御情報及び番組ガイド等）を処理するように動作可能な他の装置を有してもよい。ディスプレイユニット108は、テレビ、コンピュータモニタ、又はビデオ画像を表示するように動作可能な他の装置を有してもよい。
【００２２】
MHPアプリケーション132は、入力データとしてRSSコンテンツを組み込み、エンドユーザが受信機106でRSSコンテンツを選択して閲覧することを可能にするように構成される。
【００２３】
代替実施例では、MHPアプリケーション132は、受信機106に予め格納されてもよい。この場合、変換されたRSSコンテンツのみが中央放送局102から送信される必要があり、エンドユーザが受信機106でRSSコンテンツを選択して閲覧することを可能にする。
【００２４】
特定の実施例では、RSSコンテンツを解析してフォーマットする動作は、部分的に放送局側で実行されて部分的にクライアント側で実行されてもよく、完全にクライアント側で実行されてもよい。
【００２５】
図２を参照すると、図１に示す実施例（すなわち、“中央型定期RSS取り出し”）に従ってコントローラ120の制御で中央放送局102で実行される動作を記載したシーケンス図が図示されている。
【００２６】
ステップ[1]−triggerUpdateRSSContent()−
中央放送局102に存在するタイミングモジュール（図示せず）は、コントローラ120を定期的に起動し、データ収集のシーケンスを起動し、複数の遠隔RSSサーバ110からRSSコンテンツを集める。
【００２７】
ステップ[2]−retrieveNewRssContent()−
起動信号に応じて、コントローラ120は、起動信号をRSS取り出しモジュール122に送信し、複数の遠隔RSSサーバ110からRSSコンテンツを取り出す。
【００２８】
ステップ[3]−retrieveListRssFeeds()−
コントローラ120から発行された起動信号に応じて、RSS取り出しモジュール122は、データリポジトリ128にアクセスし、RSSコンテンツを取り出すためにアクセスされる複数の遠隔RSSサーバ100のURLアドレスを特定するURLリストを取り出す。
【００２９】
以下のステップ（4及び5）は、RSS取り出しモジュール122によりアクセスされる遠隔RSSサーバ110毎に繰り返される。
【００３０】
ステップ[4]−requestUrl(rssUrl)−
URLリストを使用して、RSS取り出しモジュール122は、第IのRSSサーバ110にアクセスし、格納されたRSSコンテンツを要求する。
【００３１】
ステップ[5]−parseRssContent(rssContent)−
第iのRSSサーバ110からRSSコンテンツを取り出すと、RSS取り出しモジュール122は、RSSコンテンツを解析し、変換されたRSSコンテンツを生成する。変換されたRSSコンテンツは放送システムソフトウェアと互換性のあるフォーマットになる。
【００３２】
ステップ[6]−formatRawRssData(allRawRssData)−
変換されたRSSコンテンツはフォーマット器124に出力され、レイアウト情報を追加する。レイアウト情報は、位置情報及び／又は色情報及び／又はグラフィック情報又は他の形式の周知のレイアウト情報を追加することを有してもよい。
【００３３】
ここに記載の実施例の任意選択の特徴は、フォーマット器124は、RSS取り出し器から出力されたRSSコンテンツ（すなわち、XML  RSSフィード）が前の収集（取り出し）サイクルで集められたRSSコンテンツと同一であることを常に決定するように更に構成されてもよい。このことが生じると、フォーマット器124は、フォーマット動作を迂回し、前にフォーマットされたRSSコンテンツを使用することができる。
【００３４】
ステップ[7]−publishRssContent(finalContent−
周知のように、DVB/MHPプロトコルに従って、MHP生成器130は、カルーセル（carousel）フォーマットの少なくとも１つのMHPアプリケーションを有するファイルシステムを絶えず放送する。新しいフォーマット済データがフォーマット器124から出力されると常に、新しいフォーマット済データは、フォーマット済データが結合されるMHPアプリケーション132の古いデータセットと（部分的に）交換する。MHPアプリケーションはコードファイルとデータファイルとを有することがわかる。新しいフォーマット済データがフォーマット器124から出力されると常に、データファイルの部分が更新中に交換される。
【００３５】
代替実施例では、MHPアプリケーション132は、クライアント106に存在する。この実施例では、フォーマット器124から出力されるフォーマット後の変換されたRSSデータのみが、ネットワーク109で送信され、MHPアプリケーション132と結合される。このMHPアプリケーション132は受信機106に存在する。
【００３６】
特定の実施例では、解析及び／又はフォーマットする動作は、放送側で実行されてもよく、クライアント側で実行されてもよい。
【００３７】
図３を参照すると、放送システム300が図示されている。システム300は、ここで“受信機起動取り出し”と呼ばれる実施例を示している。図３の実施例は、MHP放送プロトコルに従って動作する。しかし、ここに記載の実施例はMHP放送プロトコルに限定されず、例えばOCAP、Open-TV及びMS-TVを含む多様な放送プロトコルに一般的な適用可能性を有することがわかる。
【００３８】
放送システム300は、中央放送局102と、複数の遠隔RSSサーバ110に中央放送局を接続する第１のネットワーク109と、複数の受信機106（２つの受信機が図示されている）に中央放送局102を接続する第２のネットワーク106とを有する。
【００３９】
中央放送局102は、受信機106から起動された要求に応じて複数のRSSサーバ110からRSSコンテンツを取り出すように構成された要求ハンドラモジュール302を有する。中央放送局102はまた、複数のMHPアプリケーションを有し、その１つ（すなわちMHPアプリケーション120）がここに図示されている。MHPアプリケーションは、要求モジュール306と提供モジュール308とを有する。MHPアプリケーション120の要求モジュール306は、受信機106に関連するエンドユーザにより起動されたRSSコンテンツの取り出し要求を構成し、中央放送局102と何らか必要な接続を設定し、構成された取り出し要求を中央放送局102に送信し、このような要求の結果を受信し、結果を処理するように構成される。提供側308は、要求モジュール306により行われた要求の結果を表示するユーザインタフェース機能を提供し、エンドユーザによる特定のRSSサーバ110のURLアドレスの“お気に入りリスト”への入力を容易にするインタフェースを提供し、要求時にエンドユーザに“お気に入りリスト”を表示し、エンドユーザが特定のRSSサーバ110を選択してRSSコンテンツを受信することを可能にする。当然に、エンドユーザはまた、“お気に入りリスト”にまだ含まれていない特定のRSSサーバ110のURLアドレスを選択してもよい。
【００４０】
受信機106は、中央放送局102から送信されたMHPアプリケーション120のようなMHPアプリケーションを実行するように構成されたMHP受信機107を有する。
【００４１】
この実施例では、RSSコンテンツは、エンドユーザの主導で遠隔RSSサーバ110から取り出されることがわかる。これは、RSSコンテンツが定期的に取り出される図１に示す実施例と対照的である。この実施例では、エンドユーザがRSSコンテンツの要求を発行することを決定すると常に、要求モジュール306は、ネットワーク106を通じて中央放送局102の要求ハンドラ302に送信される取り出し要求を構成する。要求は、(1)RSSコンテンツを格納するRSSサーバ110のURLアドレスと、(2)特定されたRSSサーバ110に格納される特定のRSS“フィード”を特定するRSSコンテンツ識別子とを少なくとも有する。要求に応じて、要求されたRSSコンテンツがネットワーク104を介して取り出される。この処理は、図４のシーケンス図を参照して詳細に説明する。
【００４２】
図４を参照すると、ここに記載の実施例に従って実行される動作を詳細に記載したシーケンス図が図示されている。
【００４３】
ステップ[1]−enterNewRssUrl(newRssURl)−
受信機側106で、クライアントは、提供側308にURL識別子（newRssURl）を入力し、RSSコンテンツ（すなわちRSS“フィード”を要求する）。
【００４４】
ステップ[2]−showRssContent(rssUrlRef)−
受信機側106で、クライアントは、提供側308に特定のRSSフィード（すなわちrssUrlRef）を入力し、ステップ1においてURL識別子を介してクライアントにより特定されたRSSサーバ110に格納されている要求RSSコンテンツを特定する。
【００４５】
ステップ[3]−requestRssContent(rssUrl)−
受信機側106で、要求は提供側308から要求側306に渡され、中央放送局102に送信される取り出し要求を構成するように構成される。取り出し要求は、URL識別子（ステップ1参照）と特定のRSSフィード（ステップ2参照）とを少なくとも有する。
【００４６】
ステップ[4]−requestRssContent(rssUrl)−
要求は、要求側306からネットワーク106を介して中央放送局102の要求ハンドラ302に渡される。
【００４７】
ステップ[5]−requestUrl(rssUrl)−
要求は、中央放送局102の要求ハンドラモジュール302からネットワーク104を介して、要求で特定された（すなわち、クライアントにより供給されたURLパラメータを使用して）適切なRSSサーバ110に渡される。
【００４８】
ステップ[6]−parseRssXml(rssContent)−
要求を受信したRSSサーバ110は、RSS  XMLファイルの形式でRSSコンテンツ（“RSSフィード”）を要求ハンドラ302に返信する。要求ハンドラ302は、取り出されたRSS  XMLファイルを解析し、変換されたRSSコンテンツを生成する。変換されたRSSコンテンツは放送システムのソフトウェアと互換性のあるフォーマットである。
【００４９】
ステップ[7]−layoutAndDisplayRssContentCrssContent)−
提供モジュール302は、RSSコンテンツをレイアウトし、エンドユーザに提示する。
【００５０】
図５は、図１に示す実施例によるテレビ放送システムのエンドユーザに表示され得る拡張コンテンツの例示的な表示の例である。図示のように、拡張コンテンツは、エンドユーザにより選択され得る複数のリンクを有する。本発明のシステム及び方法に従って、ユーザは、“RSS情報源”リンク502を選択する選択肢を提供される。
【００５１】
図６は、図５の表示で“RSS情報源”リンク502を選択したときにエンドユーザに表示される例示的な表示の例である。図６は、２列のRSS“フィード”602、604を示している。RSS“フィード”602、604は、図１に示す“中央型定期RSS取り出し”の実施例に従って集められたRSSコンテンツを表す。前記のように、“中央型定期RSS取り出し”方法に従って、RSSコンテンツは、RSSコンテンツを格納する複数の遠隔サーバから中央放送局102で定期的に集められ、放送サービスに加入する複数の受信機106に分配される。
【００５２】
特定の実施例を参照して本発明を説明したが、特許請求の範囲に記載の本発明の要旨及び範囲を逸脱することなく、多数の変更が取られることがわかる。従って、明細書及び図面は例示的に考えられ、特許請求の範囲を限定することを意図しない。特許請求の範囲を解釈する際に、次のことがわかる。
a)“有する”という用語は、所定の請求項に記載のもの以外の要素又は動作の存在を除外しない。
b)単数の要素は、このような要素の複数の存在を除外しない。
c)請求項の如何なる参照符号もその範囲を限定しない。
d)複数の“手段”が構造又は機能を実装したハードウェア又はソフトウェアの同一のアイテムにより表されてもよい。
e)開示された要素の如何なるものも、ハードウェア部分（例えば、離散型及び集積型電子回路を含む）と、ソフトウェア部分（例えば、コンピュータプログラム）と、これらの何らかの組み合わせとを有してもよい。
f)ハードウェア部分は、アナログ部分とデジタル部分との一方又は双方を有してもよい。
g)開示された装置又はその一部の如何なるものも、特に言及されない限り、一緒に結合されてもよく、更なる部分に分離されてもよい。
h)特に示さない限り、特定のシーケンスの動作が必要であることを意図しない。
【図面の簡単な説明】
【００５３】
【図１】一実施例による本発明のシステムを組み込んだ放送通信システム
【図２】図１に示す実施例による中央放送局で実行される動作を詳細に記載したシーケンス図
【図３】一実施例による本発明のシステムを組み込んだ放送通信システム
【図４】図１に示す実施例による中央放送局で実行される動作を詳細に記載したシーケンス図
【図５】図１に示す実施例によるテレビ放送システムのエンドユーザに表示され得る拡張コンテンツの例示的な表示
【図６】図５の表示で“RSS情報源”を選択したときにエンドユーザに表示される例示的な表示の図
【図１】
2008532378.tif 000003
【図２】
2008532378.tif 000004
【図３】
2008532378.tif 000005
【図４】
2008532378.tif 000006
【図５】
2008532378.tif 000007
【図６】
2008532378.tif 000008
【図７】
2008532378.tif 000009
【図８】
2008532378.tif 000010
【図９】
2008532378.tif 000011
【図１０】
2008532378.tif 000012
【国際調査報告】
2008532378.tif 000013
2008532378.tif 000014